【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
可変表示手段において特定表示結果が導出表示されたときに、遊技者にとって有利な特定状態に制御可能であるとともに、前記特定表示結果のうちの特別表示結果が導出表示されたときに、前記特定状態の終了後に、通常状態よりも有利な特別状態に制御可能な遊技機であって、
リーチ状態において、遊技者の動作を促す動作促進演出を実行するとともに、該遊技者の動作に応じてリーチ動作演出を実行するリーチ動作促進演出実行手段を備え、
前記リーチ動作促進演出実行手段は、前記特別状態において、前記特別表示結果を構成するリーチ状態となった場合に前記動作促進演出を実行可能であり、前記特別表示結果を構成しないリーチ状態となった場合には前記動作促進演出の実行を制限し、
遊技者の動作を検出する第１動作有効期間において遊技者の動作が検出されたときおよび遊技者の動作を検出する第２動作有効期間において遊技者の動作が検出されたときの各々において、演出を実行する演出実行手段をさらに備え、
前記第１動作有効期間において遊技者の動作が検出されたときと、前記第２動作有効期間において遊技者の動作が検出されたときとで、検出から演出が実行されるまでの期間が異なる、遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示手段において特定表示結果が導出表示されたときに、遊技者にとって有利な特定状態に制御可能であるとともに、前記特定表示結果のうちの特別表示結果が導出表示されたときに、前記特定状態の終了後に、通常状態よりも有利な特別状態に制御可能な遊技機に関する。
【手続補正３】
【補正対象書類名】明細書
【補正対象項目名】０００５
【補正方法】変更
【補正の内容】
【０００５】
しかしながら、上記特許文献１に記載の遊技機では、特定表示結果となる確率が通常状態よりも高い特別遊技状態において、通常図柄のリーチ態様でスイッチ演出が実行された場合、特別遊技状態が終了してしまうこととなり遊技者の動作意欲を低下させてしまう。
【手続補正４】
【補正対象書類名】明細書
【補正対象項目名】０００６
【補正方法】変更
【補正の内容】
【０００６】
本発明は、上記実状に鑑みてなされたものであり、遊技者の動作意欲の低下を防止することのできる遊技機の提供を目的とする。
【手続補正５】
【補正対象書類名】明細書
【補正対象項目名】０００７
【補正方法】変更
【補正の内容】
【０００７】
（１）上記目的を達成するため、本発明の第１の観点に係る遊技機は、
可変表示手段において特定表示結果が導出表示されたときに、遊技者にとって有利な特定状態に制御可能であるとともに、前記特定表示結果のうちの特別表示結果が導出表示されたときに、前記特定状態の終了後に、通常状態よりも有利な特別状態に制御可能な遊技機であって、
リーチ状態において、遊技者の動作を促す動作促進演出を実行するとともに、該遊技者の動作に応じてリーチ動作演出を実行するリーチ動作促進演出実行手段を備え、
前記リーチ動作促進演出実行手段は、前記特別状態において、前記特別表示結果を構成するリーチ状態となった場合に前記動作促進演出を実行可能であり、前記特別表示結果を構成しないリーチ状態となった場合には前記動作促進演出の実行を制限し、
遊技者の動作を検出する第１動作有効期間において遊技者の動作が検出されたときおよび遊技者の動作を検出する第２動作有効期間において遊技者の動作が検出されたときの各々において、演出を実行する演出実行手段をさらに備え、
前記第１動作有効期間において遊技者の動作が検出されたときと、前記第２動作有効期間において遊技者の動作が検出されたときとで、検出から演出が実行されるまでの期間が異なる。
また、本発明の第１の観点に係る遊技機は、以下のものであってもよい。
各々を識別可能な複数種類の識別情報（例えば特別図柄や飾り図柄など）を可変表示可能な複数の可変表示部を有する可変表示手段（例えば第１、第２特別図柄表示装置４Ａ、４Ｂや画像表示装置５など）において予め定められた特定の識別情報の組合せ（例えば大当り図柄となる確定特別図柄や大当り組合せとなる確定飾り図柄など）が導出表示されたときに、遊技者にとって有利な特定遊技状態（例えば大当り遊技状態など）に制御するとともに、前記特定の識別情報の組合せのうちの特別の識別情報の組合せ（例えば確変大当り図柄や確変大当り組合せとなる確定飾り図柄など）が導出表示されたときに、前記特定遊技状態の終了後に、通常遊技状態よりも有利な特別遊技状態（例えば確変状態など）に制御する遊技機（例えばパチンコ遊技機１など）であって、
前記複数の可変表示部のうち最後に識別情報が停止する最終停止可変表示部を除く前記可変表示部に前記特定の識別情報の組合せの一部を構成するリーチ状態となる識別情報を停止させた後、前記最終停止可変表示部に識別情報を停止させて、表示結果を導出表示するリーチ制御手段（例えばステップＳ５５３の処理を実行する演出制御用ＣＰＵ１２０など）と、
前記リーチ制御手段が表示結果を導出表示する際に、遊技者の動作を促す動作促進演出を実行するとともに、該遊技者の動作に応じて表示結果を導出表示させるためのリーチ動作演出を実行するリーチ動作促進演出実行手段（例えばステップＳ５５６〜Ｓ５６１の処理を実行する演出制御用ＣＰＵ１２０など）を備え、
前記リーチ動作促進演出実行手段は、前記特別遊技状態において、前記特別の識別情報の組合せを構成する識別情報によるリーチ状態となった場合に前記動作促進演出を実行し、前記特別の識別情報の組合せを構成する識別情報以外の識別情報によるリーチ状態となった場合には前記動作促進演出の実行を制限し（例えばステップＳ６２２の処理にてリーチ組合せまたは大当り組合せの最終停止図柄が確変図柄でない場合にはステップＳ６２３以降の処理をスキップするなど）、
遊技者の動作を検出する第１動作有効期間（ボタンの操作を促す動作促進演出を実行したときに、ボタン操作の検出が有効な第１動作有効期間）において遊技者の動作が検出されたときおよび遊技者の動作を検出する第２動作有効期間（ボタンの操作を促す動作促進演出を実行したときに、ボタン操作の検出が有効な第２動作有効期間）において遊技者の動作が検出されたときの各々において、動作演出（リーチ予告、大当り予告（カットイン予告）、確変昇格演出、連続予告）を実行する動作演出実行手段（例えば、演出制御用マイクロコンピュータ１００）をさらに備え、前記動作演出実行手段は、前記第１動作有効期間において遊技者の動作が検出されたときと、前記第２動作有効期間において遊技者の動作が検出されたときとで、検出から前記動作演出を開始するまでのタイミングを異ならせる（たとえば、１つの保留記憶を消化することによって実行される１単位の図柄の特図ゲームで２回リーチ予告をする場合であれば、１度目の動作有効期間での操作から１秒後に「リーチかも？」と表示し、２度目の動作有効期間での操作から３秒後に「リーチ！」と表示する）ことが可能である、
ことを特徴とする。
【手続補正６】
【補正対象書類名】明細書
【補正対象項目名】０００８
【補正方法】変更
【補正の内容】
【０００８】
このような構成によれば、特別状態において特別表示結果を構成しないリーチ状態となった場合には動作促進演出の実行が制限されるため、遊技者の動作意欲の低下を防止することができる。また、第１動作有効期間において遊技者の動作が検出されたときと、第２動作有効期間において遊技者の動作が検出されたときとで、検出から演出が実行されるまでの期間が異なることによって、遊技者の動作の検出から演出が実行されるまでの期間のバリエーションを増やすことができ、遊技興趣を高めることができる。